(57)【要約】  ＥＭＩに対して細長い部材を保護するためのテキスタイルスリーブおよびその構築方法が提供される。スリーブは、両端部間で長手方向軸と概ね平行に長さ方向に延在する対向縁部を有する壁を含む。対向縁部は、互いに重なるように構成されて両端部間に延在する中央キャビティを画定する。壁は、横糸フィラメントとともに織られる長手方向軸に概ね平行に延在する縦糸フィラメントを含み、横糸フィラメントは、縦糸フィラメントに対して概ね横方向に延在する。縦糸フィラメントは、横糸フィラメントとともに平織パターンで織られる実質的に非導電性のマルチフィラメントと、横糸フィラメントとともに織られて複数の浮き部を形成する導電性部材とを含む。浮き部の各々は、少なくとも２つの隣接する横糸フィラメントの上方に延在する。
2020515735.tif 000002
【特許請求の範囲】
【請求項１】
摩耗およびＥＭＩに対して細長い部材を保護するためのテキスタイルスリーブであって、
両端部間で長手方向軸と概ね平行に長さ方向に延在する対向縁部を有する壁を備え、前記対向縁部は、互いに重なるように構成されて前記両端部間に延在する囲まれたキャビティを画定し、前記壁は、横糸フィラメントとともに織られる前記長手方向軸に概ね平行に延在する縦糸フィラメントを有し、前記横糸フィラメントは、前記縦糸フィラメントに対して概ね横方向に延在し、前記縦糸フィラメントは、前記横糸フィラメントとともに平織パターンで織られる実質的に非導電性のマルチフィラメントと、前記横糸フィラメントとともに織られる導電性部材とを含み、前記導電性部材は、複数の浮き部を形成し、前記浮き部の各々は、少なくとも２つの隣接する前記横糸フィラメントの上方に延在する、テキスタイルスリーブ。
【請求項２】
前記導電性部材は、金属めっきされている、請求項１に記載のテキスタイルスリーブ。
【請求項３】
金属めっきされた前記導電性部材は、金属めっきされたマルチフィラメントである、請求項２に記載のテキスタイルスリーブ。
【請求項４】
前記金属めっきされたマルチフィラメントは、アラミドの金属めっきされたマルチフィラメントを含む、請求項３に記載のテキスタイルスリーブ。
【請求項５】
金属めっきされた前記導電性部材の別のものは、複数の金属めっきされたワイヤを含む、請求項２に記載のテキスタイルスリーブ。
【請求項６】
前記金属めっきされたワイヤは、金属めっきされたステンレス鋼ワイヤを含む、請求項５に記載のテキスタイルスリーブ。
【請求項７】
前記複数の金属めっきされたワイヤは、各々、約１０〜３０の間の金属めっきされたワイヤを含む、請求項５に記載のテキスタイルスリーブ。
【請求項８】
金属めっきされた前記導電性部材は、銅、ニッケルおよび銀の少なくとも１つの外側めっきを含む、請求項２に記載のテキスタイルスリーブ。
【請求項９】
前記実質的に非導電性のマルチフィラメントおよび前記導電性部材は、互いに交互に互い違いにされる、請求項１に記載のテキスタイルスリーブ。
【請求項１０】
前記実質的に非導電性のマルチフィラメントは、アラミドマルチフィラメントを含む、請求項１に記載のテキスタイルスリーブ。
【請求項１１】
前記縦糸および横糸フィラメントをともに接合する有機または無機コーティングをさらに含む、請求項１に記載のテキスタイルスリーブ。
【請求項１２】
前記導電性部材は、綾パターンで織られる、請求項１に記載のテキスタイルスリーブ。
【請求項１３】
前記導電性部材は、繻子パターンで織られる、請求項１に記載のテキスタイルスリーブ。
【請求項１４】
前記浮き部は、前記キャビティに向かって径方向内側に面する、請求項１に記載のテキスタイルスリーブ。
【請求項１５】
前記横糸フィラメントは、前記対向縁部を互いに重なるように付勢するヒートセットされたフィラメントを含む、請求項１に記載のテキスタイルスリーブ。
【請求項１６】
摩耗およびＥＭＩに対して細長い部材を保護するためのテキスタイルスリーブを構築する方法であって、
両端部間で長手方向軸と概ね平行に長さ方向に延在する対向縁部を有する壁を形成することを含み、前記対向縁部は、互いに重なるように構成されて前記両端部間に延在する中央キャビティを画定し、前記方法はさらに、
横糸フィラメントとともに前記長手方向軸に概ね平行に延在する縦糸フィラメントを織ることによって前記壁を形成することを含み、前記横糸フィラメントは、前記縦糸フィラメントに対して概ね横方向に延在し、前記方法はさらに、
前記横糸フィラメントとともに平織パターンで織られる実質的に非導電性のマルチフィラメントを含み、かつ複数の浮き部を形成する導電性部材を含む、前記縦糸フィラメントを織ることを含み、前記浮き部の各々は、少なくとも２つの隣接する前記横糸フィラメントの上方に延在する、方法。
【請求項１７】
前記実質的に非導電性のマルチフィラメントおよび前記導電性部材を、互いに交互に互い違いに織ることをさらに含む、請求項１６に記載の方法。
【請求項１８】
前記実質的に非導電性のマルチフィラメントをアラミドマルチフィラメントとして提供することをさらに含む、請求項１６に記載の方法。
【請求項１９】
前記導電性部材を金属めっきされたフィラメントとして提供することをさらに含む、請求項１６に記載の方法。
【請求項２０】
金属めっきされたアラミドマルチフィラメントを含む前記金属めっきされたフィラメントを提供することをさらに含む、請求項１９に記載の方法。
【請求項２１】
金属めっきされたワイヤフィラメントを含む前記金属めっきされたフィラメントを提供することをさらに含む、請求項１９に記載の方法。
【請求項２２】
金属めっきされたステンレス鋼ワイヤフィラメントを含む前記金属めっきされたワイヤフィラメントを提供することをさらに含む、請求項２１に記載の方法。
【請求項２３】
銅、ニッケルおよび銀の少なくとも１つの外側めっきを含む前記金属めっきされたフィラメントを提供することをさらに含む、請求項１９に記載の方法。
【請求項２４】
前記縦糸および横糸フィラメント上に有機または無機コーティングを施して前記縦糸および横糸フィラメントを互いに接合することをさらに含む、請求項１６に記載の方法。
【請求項２５】
綾パターンで前記導電性部材を織ることをさらに含む、請求項１６に記載の方法。
【請求項２６】
繻子パターンで前記導電性部材を織ることをさらに含む、請求項１６に記載の方法。
【請求項２７】
前記浮き部を前記キャビティの中に径方向内側に面するように形成することをさらに含む、請求項１６に記載の方法。
【請求項２８】
前記横糸フィラメントの少なくともいくつかをヒートセットして前記対向縁部を互いに重なるように付勢することをさらに含む、請求項１６に記載の方法。
【発明の詳細な説明】
【技術分野】
【０００１】
この出願は、２０１７年４月４日に提出された米国仮出願第６２／４８１，５９５号および２０１８年４月３日に提出された米国特許出願第１５／９４４，７０８号の利益を主張し、参照によりその内容全体がここに組み込まれる。
【０００２】
１．技術分野
この発明は、概して、細長い部材を保護するための管状スリーブに関し、より特定的には、その中に収容される細長い部材に摩耗および電磁干渉に対する保護を提供する織られたスリーブに関する。
【背景技術】
【０００３】
２．関連技術
ワイヤの周りに保護テキスタイルスリーブおよび別個の外側耐摩耗性管を配置することによって電磁干渉（ＥＭＩ）および摩耗に対してワイヤを遮蔽することが知られている。ワイヤの周りへのテキスタイルスリーブ、次いでテキスタイルスリーブの周りへの耐摩耗性管の配置の際、耐摩耗性管は、テキスタイルスリーブの周りで熱収縮され得る。したがって、内側テキスタイルスリーブがＥＭＩ保護を与えるとともに、熱収縮された管は摩耗に対する保護を与える。このようなテキスタイルスリーブおよび管は、ＥＭＩに対する遮蔽および摩耗に対する保護の提供において効果的であり得ることがわかっているが、それらは、基本的に保護される部材の周りに２つの別個のスリーブを組み付けなければならず、材料および労力の両方の観点からコストがかかる。さらに、スリーブの周りに管を収縮させる際、アセンブリは、熱収縮された管類が接触および硬化することによって比較的硬く不撓性となり、これにより曲がりくねった経路にわたっておよび角部の周りにワイヤを経路決めすることを困難にする。さらに、熱収縮された管類は、不可能ではないにしても、スリーブを破壊することなく、修復の間などにワイヤにアクセスすることを難しくする。
【発明の概要】
【発明が解決しようとする課題】
【０００４】
本発明にしたがって製造される保護スリーブは、本願における開示を考慮する際に当業者によって容易に理解されるように、少なくとも上述の先行技術の制限を克服するまたは大いに最小化する。
【課題を解決するための手段】
【０００５】
ＥＭＩに対して細長い部材を保護するためのテキスタイルスリーブが提供される。テキスタイルスリーブは、両端部間で長手方向軸と概ね平行に長さ方向に延在する対向縁部を有する壁を含む。対向縁部は、互いに重なるように構成されて両端部間に延在する中央キャビティを画定する。壁は、横糸フィラメントとともに織られる長手方向軸に概ね平行に延在する縦糸フィラメントを含み、横糸フィラメントは、縦糸フィラメントに対して概ね横方向に延在する。縦糸フィラメントは、横糸フィラメントとともに平織パターン（plain weave pattern）で織られる実質的に非導電性のマルチフィラメントと、横糸フィラメントとともに織られる導電性部材とを含む。導電性部材は、複数の浮き部を形成し、浮き部の各々は、少なくとも２つの隣接する横糸フィラメントの上方に延在する。
【０００６】
本開示の別の局面にしたがえば、実質的に非導電性の縦糸フィラメントはめっきされておらず、導電性の縦糸部材は金属めっきされている。
【０００７】
本開示の別の局面にしたがえば、金属めっきされた導電性部材は、金属めっきされたマルチフィラメントを含み得る。
【０００８】
本開示の別の局面にしたがえば、金属めっきされたマルチフィラメントは、金属めっきされたアラミドマルチフィラメントを含み得る。
【０００９】
本開示の別の局面にしたがえば、金属めっきされた導電性部材の別のものは、複数の金属めっきされたワイヤを含み得る。
【００１０】
本開示の別の局面にしたがえば、複数の金属めっきされたワイヤのワイヤは、ステンレス鋼ワイヤを含み得る。
【００１１】
本開示の別の局面にしたがえば、金属めっきされた導電性部材の各々の複数の金属めっきされたワイヤのワイヤは、個々に金属めっきされてともに撚り合わされ得る。
【００１２】
本開示の別の局面にしたがえば、金属めっきされた導電性部材の各々は、約１０〜３０の間の金属めっきされた金属ワイヤを含み得る。
【００１３】
本開示の別の局面にしたがえば、金属めっきされた導電性部材は、銅および／またはニッケルおよび／または銀の外側金属めっきを含み得る。
【００１４】
本開示の別の局面にしたがえば、めっきされていない縦糸マルチフィラメントおよび金属めっきされた導電性縦糸部材は、互いに交互に互い違いにされ（staggered）得る。
【００１５】
本開示の別の局面にしたがえば、実質的に非導電性のマルチフィラメントは、アラミド材料のマルチフィラメントを含んで提供され得る。
【００１６】
本開示の別の局面にしたがえば、有機または無機コーティングが、縦糸および横糸フィラメント上に施されて縦糸および横糸フィラメントをともに接合し得る。
【００１７】
本開示の別の局面にしたがえば、縦糸の金属めっきされた導電性部材は、綾パターン（twill pattern）で織られ得る。
【００１８】
本開示の別の局面にしたがえば、縦糸の金属めっきされた導電性部材は、繻子パターン（satin pattern）で織られ得る。
【００１９】
本開示の別の局面にしたがえば、縦糸の金属めっきされた導電性部材の浮き部は、キャビティに向かって径方向内側に面するように織られて、電磁干渉に対する効率的な遮蔽を提供するとともにキャビティの外部の要素によって摩耗されることを回避する。
【００２０】
本開示の別の局面にしたがえば、横糸フィラメントの少なくともいくつかまたはすべては、対向縁部を互いに重なるように付勢するヒートセットされたフィラメントを含む。
【００２１】
本開示の別の局面にしたがえば、摩耗およびＥＭＩに対して細長い部材を保護するためのテキスタイルスリーブを構築する方法が提供される。上記方法は、両端部間に延在する長手方向軸と概ね平行に長さ方向に延在する対向縁部を有する壁を形成することを含む。対向縁部は、互いに重なるように構成されて両端部間に延在する中央キャビティを画定する。さらに、横糸フィラメントとともに長手方向軸に概ね平行に延在する縦糸フィラメントを織ることによって壁を形成することを含み、横糸フィラメントは、縦糸フィラメントに対して概ね横方向に延在する。さらに、横糸フィラメントとともに平織パターンで織られる実質的に非導電性のマルチフィラメントを含む縦糸フィラメントを織ることと、少なくとも２つの横糸フィラメントの上方に延在する浮き部を形成する導電性部材を含む縦糸フィラメントを織ることとを含む。
【００２２】
本開示の別の局面にしたがえば、上記方法は、実質的に非導電性のマルチフィラメントをめっきされていないマルチフィラメントとして提供することと、導電性部材を金属めっきされた導電性部材として提供することとをさらに含み得る。
【００２３】
本開示の別の局面にしたがえば、上記方法は、めっきされていないマルチフィラメントをアラミドマルチフィラメントとして提供することをさらに含み得る。
【００２４】
本開示の別の局面にしたがえば、上記方法は、金属めっきされた導電性部材を金属めっきされたマルチフィラメントとして提供することをさらに含み得る。
【００２５】
本開示の別の局面にしたがえば、上記方法は、金属めっきされたマルチフィラメントをめっきされたアラミドマルチフィラメントとして提供することをさらに含み得る。
【００２６】
本開示の別の局面にしたがえば、上記方法は、複数の連続的なワイヤフィラメントを含む金属めっきされた導電性部材の各々を提供することをさらに含み得る。
【００２７】
本開示の別の局面にしたがえば、上記方法は、ステンレス鋼ワイヤフィラメントを含む各金属めっきされた導電性部材内に複数の連続的なワイヤフィラメントを提供することをさらに含み得る。
【００２８】
本開示の別の局面にしたがえば、上記方法は、ともに束ねられた約１０〜３０の間の金属めっきされた金属ワイヤを有する金属めっきされた導電性部材の各々を提供することをさらに含み得る。
【００２９】
本開示の別の局面にしたがえば、上記方法は、金属めっきされた導電性部材を金属めっきされたステンレス鋼ワイヤとして提供することをさらに含み得る。
【００３０】
本開示の別の局面にしたがえば、上記方法は、ともに撚り合わされている各金属めっきされた導電性部材内に複数のワイヤを提供することをさらに含み得る。
【００３１】
本開示の別の局面にしたがえば、上記方法は、銅および／またはニッケルおよび／または銀を含む金属めっきを提供することをさらに含み得る。
【００３２】
本開示の別の局面にしたがえば、上記方法は、縦糸および横糸フィラメント上に有機または無機コーティングを施して縦糸および横糸フィラメントを互いに接合することをさらに含み得る。
【００３３】
本開示の別の局面にしたがえば、上記方法は、綾パターンで金属めっきされた導電性部材を織ることをさらに含み得る。
【００３４】
本開示の別の局面にしたがえば、上記方法は、繻子パターンで金属めっきされた導電性部材を織ることをさらに含み得る。
【００３５】
本開示の別の局面にしたがえば、上記方法は、金属めっきされた導電性部材の浮き部をキャビティの中に径方向内側に面するように形成することをさらに含み得る。
【００３６】
本開示の別の局面にしたがえば、上記方法は、非伝導性縦糸マルチフィラメントおよび導電性縦糸部材を、縦糸フィラメントが１つおきに非伝導性縦糸マルチフィラメントの１つによって形成され、縦糸フィラメントが１つおきに導電性縦糸部材の１つによって形成されるように、互いに交互に互い違いに織ることをさらに含み得る。
【００３７】
本開示の別の局面にしたがえば、上記方法は、横糸フィラメントの少なくともいくつかまたはすべてをヒートセットして対向縁部を互いに重なるように付勢することをさらに含み得る。
【００３８】
これらのおよび他の局面、特徴ならびに利点は、現在好ましい実施形態およびベストモードの以下の詳細な説明、添付された請求項、ならびに添付の図面を考慮して、当業者にとって容易に理解される。
【図面の簡単な説明】
【００３９】
【図１】本開示の１つの現在好ましい実施形態にしたがって構築される自己巻付スリーブの概略的な斜視図である。
【図２】本開示の１つの局面にしたがって構築される図１のスリーブの壁の外面の拡大部分図である。
【図２Ａ】本開示の別の局面にしたがって構築される図１のスリーブの壁の外面の拡大部分図である。
【図３】図２の壁の内面の拡大部分図である。
【図３Ａ】図２Ａの壁の内面の拡大部分図である。
【図４Ａ】本開示の１つの局面にしたがう導電性縦糸部材の概略的な拡大斜視図である。
【図４Ｂ】本開示の別の局面にしたがう導電性縦糸部材の図４Ａに類似の図である。
【発明を実施するための形態】
【００４０】
図面をより詳細に参照すると、図１は、本開示の１つの現在好ましい局面にしたがって構築される自己巻付スリーブ１０を示す。スリーブ１０は、両端部２０，２２間で長手方向中心軸１８と概ね平行に長さ方向に延在する対向縁部１４，１６を有する壁１２，１２’（相違は織パターンのみである、以下に説明される２つの異なる実施形態）を有する。対向縁部１４，１６は、互いに重なるように巻き付けられるように構成されて周方向に囲まれたキャビティ２４を画定する。対向縁部１４，１６および囲まれたキャビティ２４は、両端部２０，２２間で長さ方向に延在する。キャビティ２４は、例示であって限定ではないが、ケーブルまたはワイヤハーネス２６として示される、その中に保護されることとなる細長い部材の保護的受容のためにサイズ決めされる。スリーブ１０は、細長い部材２６への電磁干渉（ＥＭＩ）、無線周波数干渉（ＲＦＩ）、および／または静電気放電（ＥＳＤ）に対する、ならびに汚染および摩耗に対する保護を提供するために特に良好に適合される。壁１２，１２’は、互いに織られた複数のフィラメントから形成される。フィラメントという用語は、モノフィラメントおよび／またはマルチフィラメントを含むことを意図し、必要に応じて、以下、フィラメントのタイプに特定的に言及する。「ヤーン」という用語は、本願において、モノフィラメントおよびマルチフィラメントの両方を意味するために用いられる。壁１２，１２’は、横糸フィラメント３０とともに織られる長手方向中心軸１８に平行または概ね平行（概ね平行とは、フィラメントが長手方向中心軸１８に完全に平行ではないが、肉眼で当業者が共通して互いにおよび長手方向中心軸１８に平行に延在するようなフィラメントを指し得ることを意味することを意図する）に延在する縦糸フィラメント２８を含み、横糸フィラメント３０は、縦糸フィラメント２８に対して概ね横方向に延在する。縦糸フィラメント２８は、横糸フィラメント３０とともに平織パターンで織られる実質的に非導電性のマルチフィラメント３２（「実質的に」という用語は、マルチフィラメント３２は最小の電流を伝導し得るが、当業者がマルチフィラメント３２を「非導電性」であるとみなし得ることを意味することを意図する）と、複数の浮き部３６を有して織られる導電性部材３４とを含む。浮き部３６の各々は、少なくとも２つの直接隣接する横糸フィラメント３０の上方に延在する。縦糸フィラメント２８は、壁１２の１つの実施形態において、図２および図３に最もよく示されるように、２つの横糸フィラメント３０の上方に延在することによって綾状浮き部パターンを形成するように示される、または、壁１２’の別の実施形態において、図２Ａおよび図３Ａにおいて最もよく示されるように、２つ以上の直接隣接する横糸フィラメント３０の上方に延在することによって繻子状浮き部パターンを形成するように示される。浮き部３６は、壁１２，１２’の内面１５に沿って長手方向中心軸１８に向かって径方向内側に面するように形成されるものとして示されており、これにより浮き部３６が壁１２，１２’の外面１３に沿って外部環境要素からの摩耗に曝されることを回避する。したがって、当業者によって認識されるように、導電性部材３４は、電気的に発生する干渉に対する保護を高めることが可能であるとともに、導電性部材３４の長さの大部分が壁１２，１２’の内面１５に沿って延在するように、壁１２，１２’の外面１３への浮き部３６の露出を最小にすることによって摩耗および擦り切れに対して保護される。このように、異なる縦糸フィラメント３２，３４およびこれにより形成される異なる織パターンによって形成される組み合わせおよび相乗効果は、それぞれ摩耗およびＥＭＩに対する細長い部材２６への高められた保護を提供する。
【００４１】
壁１２，１２’は「開かれた」スリーブとして形成されており、横糸フィラメント３０のすべてを、約２００〜２２５セ氏温度の間の温度でヒートセット可能である、たとえばポリエチレンテレフタレート（ＰＥＴ）またはポリフェニレンスルフィド（ＰＰＳ）のモノフィラメントなどのヒートセット可能なポリマー性フィラメントとして含むように、少なくとも１つ以上提供することによって、対向縁部１４，１６は、互いに自動的に重なるように構成され得る。スリーブ１０のキャビティ２４内に囲まれると、細長い部材２６は、摩耗および誘導干渉などの望まない電気的に発生する干渉からの最大の保護を受け、これにより最大の動作機能性および効率で細長い部材２６に接続される、たとえば制御モータなどの電気部材を提供する。加えて、スリーブ１０は、束ねられた細長い部材２６が、隣接する電気部材と電気的に干渉することを防止する。
【００４２】
用途に応じて、実質的に非導電性の縦糸フィラメント３２は、例示であって限定ではないが、たとえば、めっきされていないポリエステル、ナイロン、ポリプロピレン、ポリエチレン、アクリル、ｍ−アラミド（ノメックス（Nomex）、コーネックス（Conex）、カーメル（Kermel））、ｐ−アラミド（ケブラー（Kevlar）、トワロン（Twaron）、テクノーラ（Technora））、ＰＥＩ（ウルテム（Ultem））、ＰＰＳ、およびＰＥＥＫから形成され得る。その間に、導電性部材３４は、めっきされていない非伝導性マルチフィラメントについて上述されたマルチフィラメントのタイプから選択される金属めっきされたマルチフィラメントなどの、金属めっきされたフィラメントとして提供され得る。したがって、例示として、めっきされていないマルチフィラメント３２は、ｍ−アラミドマルチフィラメントを含み得る一方、金属めっきされたマルチフィラメント３４はたとえば金属めっきされたｍ−アラミドマルチフィラメントを含み得る。金属めっきは、例示であって限定ではないが、純銅および／または純ニッケルおよび／または純銀を含む、銅および／またはニッケルおよび／または銀系金属として提供され得る。さらに、金属めっきされた導電性部材３４は、金属めっきされたワイヤとして提供され得る。したがって、図４Ａおよび図４Ｂに示されるように、金属めっきされた導電性部材３４は、各々、純銅、純ニッケルおよび／または純銀を含む、銅および／またはニッケルおよび／または銀系金属の金属コーティング４０でめっきされるステンレス鋼ワイヤフィラメント３８の複数の連続的な撚り糸などの、金属めっきされているワイヤフィラメント３８の複数の連続的な撚り糸を含み得る。本願では、各金属めっきされた導電性部材３４内のワイヤフィラメント３８の数が約１０〜３０の間のワイヤフィラメント３８の連続的な撚り糸の範囲に及び得ることが考えられる。例示の実施形態は、約１５〜２０の間のワイヤフィラメント３８を含む。これにより、例示であって限定ではないが、約０．００５〜０．００９インチの間の直径を有する伝導性縦糸部材３４を提供する。ワイヤフィラメント３８は、例示であって限定ではないが、撚り合わせまたは編組プロセスなどでまず束ねられて、次に図４Ａに示されるように、または図４Ｂに示されるように、選択された金属でめっきされ得る。個々のワイヤフィラメント３８が、選択された金属でまずめっきされて、次に例示であって限定ではないが撚り合わせまたは編組プロセスなどで束ねられてもよい。めっきされてない実質的に非伝導性の縦糸マルチフィラメント３２および導電性縦糸部材３４は、スリーブ１０の外周全体の周りに互いに交互に互い違いにされて（縦糸フィラメント２８は１つおきに実質的に非伝導性の縦糸マルチフィラメント３２であり、縦糸フィラメント２８は１つおきに伝導性部材３４である）摩耗およびＥＭＩ、ＲＦＩ、ＥＳＤの両方に対する最適な保護を提供する。所望の耐摩耗性およびＥＭＩ保護を維持することをさらに高めるために、壁１２，１２’は、フィラメント２８，３０を互いに固定するまたはそうでなければ接合するためにそこに施される有機または無機コーティング３５を有し得る。これにより、めっきされた導電性部材３４をそれ���の「織られたままの」相対位置に互いに維持する。このように、交互にあるめっきされた導電性部材３４間の空間は維持されるため、ＥＭＩ、ＲＦＩ、ＥＳＤに対する最適保護を確保することが保たれる。さらに、コーティング３５は、めっきされていないマルチフィラメントのほつれおよび劣化に抵抗するように作用し、これにより摩耗に対するそれらの抵抗を高める。
【００４３】
本開示の別の局面にしたがえば、摩耗、ＥＭＩ、ＲＦＩ、ＥＳＤに対して細長い部材２６を保護するためのテキスタイルスリーブ１０を構築する方法が提供される。上記方法は、開放両端部２０，２２間で長手方向中心軸１８と概ね平行に長さ方向に延在する対向縁部１４，１６を有する壁１２，１２’を形成することを含む。対向縁部１４，１６は、互いに重なるように構成されて両端部２０，２２間に延在する中央キャビティ２４を画定する。さらに、横糸フィラメント３０とともに長手方向中心軸１８に概ね平行に延在する縦糸フィラメント２８を織ることによって壁１２，１２’を形成する。横糸フィラメント３０は、縦糸フィラメント２８に対して概ね横方向に延在する。さらに、横糸フィラメント３０とともに平織パターンで織られる、上述されたような、実質的に非導電性のマルチフィラメント３２（単一の（１）横糸フィラメント３０の上方および単一（１）の横糸フィラメント３０の下方に繰り返し波打つ）と、複数の反復的な浮き部３６を有して織られる、上述されたような、導電性部材３４とを含む、縦糸フィラメント２８を織る。各浮き部３６は、少なくとも２つの（図２および図３）またはそれ以上の（図２Ａおよび図３Ａ）の直接隣接する横糸フィラメント３０の上方に、次に単一の横糸フィラメント３０の下方に、次に少なくとも２つの横糸フィラメント３０（図２および図３）またはそれ以上（図２Ａおよび図３Ａ）の上方に延在し、それが繰り返される。上記方法は、瓦礫および／または隣接するケーブル、サポート部材などからであろうとなかろうと、浮き部３６および導電性部材３４の大部分が外部環境要因からの摩耗に曝されることを回避するために、スリーブ壁１２，１２’の内面１５に沿って延在するように浮き部３６を織ることをさらに含み得る。さらに、上記方法は、横糸フィラメント３０の少なくともいくつかまたはすべてをヒートセットして対向縁部１４，１６を互いに重なるように維持して、細長い部材２６が収容される中央キャビティ２４を画定することを含み得る。追加的に、上記方法は、その耐摩耗性およびＥＭＩ保護機能を高めるために、壁１２，１２’上に有機または無機保護材料コーティング３５を施すことを含み得る。
【００４４】
明らかに、本発明の多くの修正および変形が上記の教示に照らして可能である。したがって、添付された請求項の範囲内で、本発明は特定的に記載された以外の方法で実施され得、すべての請求項およびすべての実施形態のすべての構成がそのような組み合わせが互いに矛盾しない限り互いに組み合わせられ得ると考えられることが理解されるべきである。
【図１】
2020515735.tif 000003
【図２】
2020515735.tif 000004
【図２Ａ】
2020515735.tif 000005
【図３】
2020515735.tif 000006
【図３Ａ】
2020515735.tif 000007
【図４Ａ】
2020515735.tif 000008
【図４Ｂ】
2020515735.tif 000009
【国際調査報告】
2020515735.tif 000010
2020515735.tif 000011
2020515735.tif 000012